(57)【要約】【課題】口頸部２に嵌合した装着キャップ３より上方付勢状態で押し込み可能に突設したステム５上端に嵌着した装着筒部材１６を介して、ステム５に対して相対的な上下動が可能でかつ押し下げが可能に本体１７を嵌着した押し下げヘッド６を備えたポンプであって、液噴出後の液切れが良く、ヘッド内の液詰まり等がなく、また、液噴出の際の押し下げが容易であり、しかも収納液の効率のよい噴出が行える液体噴出ポンプを提案する。【解決手段】上記装着キャップ３上に立設した案内壁１２外方に装着筒部材１６の案内筒２３の下端部を押し下げ可能に垂下させるとともに、案内壁１２と案内筒２３との所定位置に於いて上下動可能且つ回動不能に連繋させ、また、装着筒部材１６と押下ヘッド周壁１７ａ  とを上下動可能且つ回動不能に連繋させた。【選択図】図１
2004359238.tif 000002
【特許請求の範囲】
【請求項１】
口頸部２に装着キャップ３を嵌合して容器体４に装着するとともに、上記装着キャップ３上方に上方付勢状態で押込み可能に突設してステム５の上端に押下ヘッド６を嵌着してなり、上記押下ヘッドは、上記ステム上端部に嵌着させるとともに、上記ステム上に横設した頂板２０よりステム内と連通する摺動筒２１を立設し、且つ、頂壁２０周縁部より案内筒２３を垂設した装着筒部材１６と、上記摺動筒外周に摺動下降可能に嵌合させたシリンダ筒２６上方に、先端に噴出口８を開口した弁室Ａを備えるとともに、上記装着筒部材に対して押し下げ可能に設けた本体１７と、上記弁室内において前方付勢状態で上記噴出口を閉塞し、且つ、上記シリンダ筒内より上記噴出口に至る流路を画成してなる弁部材１８と、上記弁部材１８の後端部に上端を連繋させるとともに、下端部を上記頂板２０上面に当接係止させ、且つ、上記装着筒部材に対する上記本体の押し下げ時に上記弁部材を後方へ引き出す如く揺動可能に本体１７に枢着した梃部材１９とを備え、上記ステムに対する本体の押下抗力がステム自体の押下抗力より小である液体噴出ポンプであって、上記装着キャップ３上に立設した案内壁１２外方に上記案内筒２３の下端部を押し下げ可能に垂下させるとともに、上記案内壁１２と上記案内筒２３との所定位置において上下動可能且つ回動不能に連繋させ、且つ、上記装着筒部材１６と押下ヘッド周壁１７ａ  とを上下動可能且つ回動不能に連繋させたことを特徴とする液体噴出ポンプ。
【発明の詳細な説明】
【０００１】
【発明の属する技術分野】
本発明は液体噴出ポンプに関し、詳しくは、液噴出後の液切れが良く、ヘッド内での液詰まり等がなく、また、液噴出の際の押し下げが容易であり、しかも押下ヘッドの噴出方向を常時容器体に対して所定方向へ向けておくことができる液体噴出ポンプに関する。
【０００２】
【従来の技術】
液体噴出ポンプとして、口頸部に装着キャップを嵌合して容器体に装着するとともに、装着キャップ上方に上方付勢状態で押し込み可能に突出したステムの上端に押下ヘッドを嵌着したものが知られている。また、これらのポンプの押下ヘッドとして、ステム内と連通する摺動筒を立設した装着筒部材と、摺動筒外周に嵌合させたシリンダ筒上方に、先端に噴出口を開口した弁室を備えるとともに、装着筒部材に対して押し下げ可能に設けた本体と、前方付勢状態で噴出口を閉塞し、シリンダ筒内より噴出口に至る流路を画成した弁部材と、弁部材と連繋させてヘッドの押し下げにより開弁させる特殊構成の梃部材とを備えたものが提案されている（例えば、特許文献１参照）。
【０００３】
これらの押下ヘッドを備えた液体噴出ポンプは常時安定した液の噴出を行えるとともに、液きれが良く、噴出口の密閉性に優れ、しかもヘッドの押し下げを容易に行え、また、長期の使用にも安定した液の噴出を行える優れたものである。
【０００４】
【特許文献１】
特開２００２−３２６０４４号公報（第２−５頁，図１）
【０００５】
【発明が解決しようとする課題】
本発明は上記した特殊形態の押下ヘッドを備えたポンプを更に改良したものであって、押下ヘッドを容器体に対して常時所定方向を向かせることができて液の効率の良い噴出を行えるとともに、そのための構造も極めて簡単であり、しかも従来のこの種のポンプが備える、常時安定した液の噴出、液切れの良さ、噴出口の良好な密閉性、ヘッドの容易な押し下げ、耐久性等の効果を併せて発揮することのできる優れた液体噴出ポンプを提案するものである。
【０００６】
【課題を解決するための手段】
本請求項１発明の液体噴出ポンプは上記課題を解決するため、口頸部２に装着キャップ３を嵌合して容器体４に装着するとともに、上記装着キャップ３上方に上方付勢状態で押込み可能に突設してステム５の上端に押下ヘッド６を嵌着してなり、上記押下ヘッドは、上記ステム上端部に嵌着させるとともに、上記ステム上に横設した頂板２０よりステム内と連通する摺動筒２１を立設し、且つ、頂壁２０周縁部より案内筒２３を垂設した装着筒部材１６と、上記摺動筒外周に摺動下降可能に嵌合させたシリンダ筒２６上方に、先端に噴出口８を開口した弁室Ａを備えるとともに、上記装着筒部材に対して押し下げ可能に設けた本体１７と、上記弁室内において前方付勢状態で上記噴出口を閉塞し、且つ、上記シリンダ筒内より上記噴出口に至る流路を画成してなる弁部材１８と、上記弁部材１８の後端部に上端を連繋させるとともに、下端部を上記頂板２０上面に当接係止させ、且つ、上記装着筒部材に対する上記本体の押し下げ時に上記弁部材を後方へ引き出す如く揺動可能に本体１７に枢着した梃部材１９とを備え、上記ステムに対する本体の押下抗力がステム自体の押下抗力より小である液体噴出ポンプであって、上記装着キャップ３上に立設した案内壁１２外方に上記案内筒２３の下端部を押し下げ可能に垂下させるとともに、上記案内壁１２と上記案内筒２３との所定位置において上下動可能且つ回動不能に連繋させ、且つ、上記装着筒部材１６と押下ヘッド周壁１７ａ  とを上下動可能且つ回動不能に連繋させたことを特徴とする液体噴出ポンプとして構成した。
【０００７】
【発明の実施の形態】
以下、本発明の実施例の形態を図面を参照して説明する。
【０００８】
本発明の液体噴出ポンプ１は、口頸部２に装着キャップ３を嵌合して容器体４に装着するとともに、上記装着キャップ３上方に上方付勢状態で押し込み可能に突設したステム５の上端に押下ヘッド６を嵌着したタイプのものである。また、押下ヘッド６を押し下げることにより容器体４内へ垂下したシリンダ７内の液がステム５を介して押下ヘッド６の噴出口８より噴出する如く構成したものである。
【０００９】
図示例に於いて装着キャップ３は口頸部２外周に螺合させた周壁９上端縁より、中央部を円筒状に隆起した頂壁１０を延設しており、頂壁１０の隆起部分１０ａ  中央に開口した窓孔１１より上記ステム５を突出している。また、頂壁１０上には後述する廻り止め機構を構成する案内壁１２を立設している。案内壁１２は、図３に示す如く、下部を上記隆起部分１０ａ  の垂壁部と一部を共有する前後一対の円弧板状をなしている。また、各案内壁１２の上部は隆起部分１０ａ  上でその端縁間をそれぞれ直線的に連結する一対の連結壁部１３で連結している。更に、頂壁１０外周縁部よりカバー筒１４を立設している。カバー筒１４は頂壁１０周縁部より立設した内カバー筒１４ａ  上端より外方下方へ外カバー筒１４ｂ  を垂設して構成している。また、上記隆起部分１０ａ  の内周に上記シリンダ７上端を嵌着してその下部を容器体４内に垂下させ、シリンダ７下端部には吸い上げパイプ１５の上端を嵌着し、その弯曲させた下部の下端開口部１５ａ  を容器体４底部の隅部に位置させている。
【００１０】
本発明の液体噴出ポンプ１に於ける押下ヘッド６は、装着筒部材１６と、本体１７と、弁部材１８と、梃部材１９とを備えている。
【００１１】
装着筒部材１６は、上記ステム５上端部に嵌着させるとともに、上記ステム上に横設した頂板２０よりステム内と連通する摺動筒２１を立設している。図示例では、ステムの外周上端部に嵌合させた装着筒２２を頂板２０裏面より垂設するとともに、頂板２０中央にステム内と連通する摺動筒２１を立設し、更に、頂板２０周縁部からは下方へ案内筒２３を垂設している。この案内筒２３はその下端部を上記案内壁１２外方へ押下が可能に垂下させている。また、頂板２０の両側において、上下に延びる係止板２４を延設している。この係止板２４は、後述する装着筒部材１６と本体周壁１７ａ  との連繋のため、或いは本体１７のぐらつきを防止する等の目的で設けたもので、図示例では頂板２０の下方部分においては案内筒２３の一部として構成しており、外面に二本の係合凹溝２５を縦設している。
【００１２】
本体１７は、ステム５に装着筒部材１６を介して押し下げ可能に連結したもので、上記摺動筒２１外周に摺動下降可能に嵌合させたシリンダ筒２６上方に、先端に上記噴出口８を開口した弁室Ａを備えている。また、周壁１７ａ  上端縁より頂壁１７ｂ  を延設した下端開口の有頂筒状をなし、また、周壁１７ａ  前部に前端を開口した横筒２７を後方へ突設し、更に、横筒２７下面より上記シリンダ筒２６を垂設しており、横筒２７内に後述噴出口部材を嵌着させて弁室Ａを画成し、上記摺動筒２１に摺動下降可能にシリンダ筒２６を嵌合させて装着している。
【００１３】
上記横筒２７は両側及び後部に梃部材１９の上部と係止板２４とが収納できるスペースをあけており、また、後壁中央に窓孔を穿設し、その周囲の後壁前面より前方へシール筒２８を突設し、更に、下部にはシリンダ筒２６内と連通する連絡口を設けている。
【００１４】
また、周壁１７ａ  内面両側を回動不能且つ上下動可能に上記装着筒部材１６に係合させている。周壁１７ａ  と装着筒部材１６の係合は上記条件を満たせば種々の構造を採用できるが、図示例では、周壁１７ａ  両側において、上記係止板２４外面の上記係合凹溝２５にそれぞれ係合する各一対の係合突条２９を縦設している。
【００１５】
また、横筒２７には噴出口部材３０を嵌着させている。この噴出口部材３０は先端に噴出口８を開口させて横筒とともに弁室Ａを形成するもので、横筒２７内前部に後部を液密に嵌着させるとともに、前部をテーパ状に縮径してその先端に噴出口８を開口している。また、外面より突設した環状突起を本体１７前面に当接係止させ、内部には周方向複数のリブを突設している。
【００１６】
弁部材１８は、上記弁室Ａ内において前方付勢状態で上記噴出口を閉塞し、且つ、上記シリンダ筒２６内より上記噴出口８に至る流路を画成したもので、更にいえば上記シール筒２８内周に後部外周を摺動可能に嵌合させるとともに、前方付勢状態で噴出口８を閉塞して上記連絡口より噴出口８に至る流路を画成したものである。
【００１７】
図示例では、横棒状をなし、外周前後方向中間部より後方へスカート状部を延設するとともに、スカート状部後端縁より折り返した逆スカート状部の外周縁をシール筒２８内周に摺動可能に嵌合させている。また、横筒２７の後壁前面とスカート状部の分岐部分とに介在させたコイルスプリング３１により前方へ付勢して先端を噴出口８に圧接して閉塞している。また、後端を上記窓孔より突出させ、突出部分に梃部材係合用の環状凹部を横設している。これにより、シリンダ筒２６内から連絡口を介して横筒２７内を通り噴出口８に至る流路を画成している。
【００１８】
梃部材１９は、上記装着筒部材１６に対する本体１７の押し下げ時に上記弁部材１８を後方へ引き出す如く揺動可能に枢着したもので、上記横筒２７後壁の窓孔を介してその後方へ突出した弁部材１８後端部に上端を連係させるとともに、下端部を上記頂板２０上面に当接係止させている。
【００１９】
図示例に於ける梃部材１９は、図５に示す如き形態をなし、上端部を弁部材１８の後端部に連係した垂直板部３２下端部より前方へ下る二股の傾斜板部３３を延設するとともに、各傾斜板部３３の下端部を摺動筒２１両側の頂板２０上面に当接係止させている。本実施例に於ける梃部材１９と弁部材１８との連係は、垂直板部３２の上端部中央に設けた切欠部に弁部材１８の上記環状凹部を嵌合させている。
【００２０】
また、屈折部分両側に突設した枢着軸３４を、それぞれ両側の軸受に回動可能に嵌合させている。本実施例に於ける軸受は、横筒２７直下に嵌着させた取付板３５の下面後部より所定間隔をあけて一対垂設したもので、それぞれ内側面下端より下方が広いテーパ状の導入凹部を介して軸受凹部を凹設している。また、取付板３５は、シリンダ筒２６を嵌着させる嵌合孔と、梃部材１９の垂直板部３２を揺動可能に挿通する窓孔とを備え、周縁部を本体周壁に嵌合させている。
【００２１】
そして、コイルスプリング３１により前方付勢された弁部材１８により垂直板部３２上部の連係部分を常時前方へ付勢させており、本体１７の押し下げにより、装着筒部材１６の頂板２０が傾斜板部３３を押し上げて梃部材１９を回動させ、コイルスプリング３１の前方付勢力に抗して弁部材１８を後方へ引き出す如く構成している。
【００２２】
本発明では、またステム５に対する本体１７の押下抗力がステム自体の押下抗力より小になる様に構成している。この様に構成するために、基本的にはステム５を上方付勢させるためのコイルスプリング（シリンダ内）よりも、弁部材１８を前方付勢させるためのコイルスプリング３１の弾発力を小さく選択すれば良く、その他摺動筒とシリンダ筒との摩擦力，梃部材の揺動時の摩擦力等を考慮してこれらを選択すれば良い。
【００２３】
本発明ではこの様に構成された液体噴出ポンプに於いて、押下ヘッド６の容器体４に対する回動を規制する廻り止め機構を設けている。この廻り止め機構は、例えば、押下ヘッド６の噴出口８の向きと、容器体４内に垂下した吸い上げパイプ１５の下端開口１５ａの向きとが合致する如く常時押下ヘッド６を一定の向きとして、その位置からの容器体４に対する回転を防止するものであり、そのために、上記案内壁１２と上記案内筒２３の所定位置に於いて上下動可能且つ回動不能に連繋させるとともに、装着筒部材１６と押下ヘッド周壁１７ａ  とを上下動可能且つ回動不能に連繋させている。
【００２４】
上記案内壁１２は、上記した要件を満たせばその形態は種々採用でき、図示例の如く板状であっても（実際は連結壁部１３で外観上異形環状に形成）、或いは環状のものであっても良い。
【００２５】
上記上下動可能且つ回動不能な連繋の具体的手段として、図示例の如く、上記案内筒２３内面に突設した係合突条３７を、案内壁１２外面に縦設した案内溝３７に上下動可能に嵌合する。或いは、案内壁２３に縦設した案内溝に、案内壁外面に突設した縦突条を上下動可能に嵌合させる手段等が挙げられ、これに限られない。
【００２６】
上記係合突条３６と上記案内溝３７とは一対設けても複数対設けても所期の目的を達成できる。また、二対を対向位置に設ける場合にはそれぞれの係合突条と案内溝の大きさを変えることにより、本体１７のより円滑な上下動が可能で且つ組み付け時の位置決めが容易となる。また、少なくとも二対を対向位置以外の所定位置に設けることにより、同様に本体１７のより円滑な上下動が可能で且つ組み付け時の位置決めが容易となる。それに伴って、本実施例の案内溝３７は、前部の案内壁１２中央部に一箇所と、後部の案内壁１２の二箇所の計三箇所設けている。後部の案内溝３７は前部のそれと対向する位置、即ち１８０°回動位置からずれた位置に所定間隔をあけて設けている。尚、この少なくとも二対の連繋部位の具体的構成は、この係合突条３６と案内溝３７との組み合わせ以外に、上記要件を備えれば種々採用できる。尚、この際押下ヘッド周壁１７ａ  下端部はカバー筒１４内へ挿入された状態になっている。また、装着筒部材１６と押下ヘッド周壁１７ａ  との連繋は上述した如くである。
【００２７】
上記の如く構成した液体噴出ポンプ１は、図１の状態から押下ヘッド６を押し下げると、ステム５自体の押下抗力の方が本体１７のステム５に対する押下抗力より大きいため、最初ステム５は下がらず、装着筒部材１６に対して本体１７が下降する。この際、梃部材１９の下端部が装着筒部材１６の頂板２０上面に押し上げられて枢着軸３４を中心に回動し、その上端部が後方へ回動して弁部材１８をコイルスプリング３１の弾発力に抗して後方へ移行させ、噴出口８が開く。次いでステム５が下降し、該ステムの下降によりポンプ内の液がステム５よりシリンダ筒２６を通り、連絡口から流路を介して噴出口８より外部へ噴出する。
【００２８】
次に押下ヘッド６の押圧を解除すると、最初ステムの上方付勢力によりヘッドが上昇する。この際、例えば押下ヘッド６上面を押圧した手が離れないうちにステムの上昇が行われ、噴出口８は開いたままの状態で行われる。従って、この時点で横筒２７内は負圧状態となる。次いで、手を離す余地ができ、コイルスプリング３１の弾発力により弁部材１８が前方へ移行して噴出口８を閉塞し、それに伴い梃部材１９により本体１７を装着筒部材１６に対して上方へ押上げ、元の状態に戻る。
【００２９】
尚、上記各部材は特に断りが無い限り主として合成樹脂により形成され、必要に応じて、金属，エラストマー等を併用して形成することができる。
【００３０】
【発明の効果】
以上説明した如く本発明の液体噴出ポンプは、既述構成としたことにより、押下ヘッドを、その噴出口を常時所定の向きで上下動させることができ、その結果、例えば、下部を弯曲してその先端開口を容器体の下端隅部に開口した吸い上げパイプの存在下、その開口方向と同じ方向に予め噴出口を開口しておくと、容器体内液の残液が少なくなっても効率の良い噴出が可能となる。しかも、装着筒部材の案内筒は案内壁外方までその下端部を垂下させて上下動可能且つ回動不能に連繋させており、装着筒部材と押下ヘッド周壁とも同様に連繋させているため、シリンダ筒内へ摺動可能に摺動筒を嵌合させることにより従来比較的不安定に支持されている噴出ヘッド本体の上下動が安定したものとなりガタツキをより確実に防止するものである。また、従来のこの種のポンプが備える液切れの良さ、噴出口の良好な密閉性、ヘッドの容易な押し下げ、耐久性等の効果を併せて発揮するものである。
【図面の簡単な説明】
【図１】本発明の一実施例を示す要部縦断面図である。
【図２】同実施例の押下ヘッドの縦断面図である。
【図３】同実施例の装着キャップを示す平面図である。
【図４】同実施例の側面図である。
【図５】同実施例の梃部材を示す拡大斜視図である。
【符号の説明】
２…容器体，３…装着キャップ，４…容器体，５…ステム，
６…押下ヘッド，８…噴出口，１２…案内壁，１６…装着筒部材，１７…本体，
１７ａ  …本体周壁，１８…弁部材，１９…梃部材，２０…頂板，２１…摺動筒，
２３…案内筒，２６…シリンダ筒，Ａ…弁室
【図１】
2004359238.tif 000003
【図２】
2004359238.tif 000004
【図３】
2004359238.tif 000005
【図４】
2004359238.tif 000006
【図５】
2004359238.tif 000007